(57)【要約】【課題】  格子ユニットを通風ドア本体から故意に簡単に取り外しできないようにした通風ドアとする。【解決手段】  ドア本体１に上げ下げ窓２を取付けた通風ドア本体３と、この通風ドア本体３の室外側部に上の金具１０、下の金具２０、縦の金具３０で取付けた格子ユニット４を有した通風ドアで、その各金具１０，２０，３０はドア側金具１１，２１，３１と格子側金具１２，２２，３２を備え、各金具が取付用裏板１３，１５，２３，２５，３５又は金具自体に螺合したビス１４，１６，２４，２６，３４，３６で固着して取付けられ、各ドア側金具１１，２１，３１の連結部室内側面と各格子側金具１２，２２，３２の連結部室外側面が面接触して室内外方向に離れないように連結されている通風ドア。【選択図】  図２
2005097903.tif 000002
【特許請求の範囲】
【請求項１】
ドア本体に開閉窓を取付けた通風ドア本体と、この通風ドア本体の室外側部に金具で取付けた格子ユニットを有する通風ドアであって、
前記金具は、ドア側金具と格子側金具を備え、そのドア側金具、格子側金具の取付部が通風ドア本体、格子ユニットに、取付用裏板又は金具自身に螺合したビスでそれぞれ固着して取付けられ、
前記ドア側金具の連結部の室内側面と格子側金具の連結部の室外側面が面接触して室内外方向に離れないように連結し、
前記ドア側金具と格子側金具は、その両者を相対的に上下方向に移動することで連結部相互が面接触する形状で、
この連結部相互の面接触した部分の上下寸法は、通風ドアをドア枠に取付けて閉じた状態における格子ユニットの上部とドア枠の上部との間の隙間よりも大きいことを特徴とする通風ドア。
【請求項２】
ドア本体に開閉窓を取付けた通風ドア本体と、この通風ドア本体の室外側部に金具で取付けた格子ユニットを有する通風ドアであって、
前記金具は、通風ドア本体の上横部と格子ユニットの上横部に亘って取付けた上の金具と、通気ドア本体の下横部と格子ユニットの下横部に亘って取付けた下の金具と、通気ドア本体の縦部と格子ユニットの縦部に亘って取付けた縦の金具を備え、
この上の金具、下の金具、縦の金具は、ドア側金具と格子側金具を備え、そのドア側金具の取付部が通風ドア本体の上横部、下横部、縦部に、格子側金具の取付部が格子ユニットの上横部、下横部、縦部に、取付用裏板又は金具自身に螺合したビスでそれぞれ固着して取付けられ、
前記各ドア側金具の連結部の室内側面と各格子側金具の連結部の室外側面が、相対的に上下方向に移動することで面接触して室内外方向に離れないように連結される形状で、
前記通風ドア本体の上横部に、格子側金具がドア側金具に対して上方に移動することを阻止する押え金具を取付けたことを特徴とする通風ドア。
【請求項３】
通風ドア本体の上下寸法と格子ユニットの上下寸法がほぼ同一で、その両者の室内外方向の境目部分がドア枠内に位置している請求項１又は２記載の通風ドア。
【発明の詳細な説明】
【技術分野】
【０００１】
本発明は、玄関ドアや勝手口ドア等として用いられる通風ドア、詳しくは、ドア本体に開閉窓を取付けて換気ができるようにし、防犯のためにドア本体の室外側部に格子ユニットを取付けた通風ドアに関する。
【背景技術】
【０００２】
特許文献１に記載された通風ドアが知られている。
この通風ドアは、ドア本体に上げ下げ窓を取付け、このドア本体の室外側部に格子ユニットを取付けたもので、この上げ下げ窓を開放することで通風できるし、格子ユニットで上げ下げ窓の室外側を覆うことで防犯上好ましくしている。
【０００３】
【特許文献１】実公平８−７０２８号公報
【発明の開示】
【発明が解決しようとする課題】
【０００４】
前述した通風ドアは、格子ユニットの縦框に格子係止金具を取付け、ドア本体の竪枠に長孔を形成し、前記格子係止金具の係止部を長孔に挿入して下方に移動することで係止して格子ユニットをドア本体に取付けている。
このために、バール等の工具をドア本体の竪框と格子ユニットの竪框との間に押し込み、こじることで格子ユニットをドア本体から外す力を付与すると、格子係止金具の係止部がドア本体の竪框の長孔から抜け出る力が生じ、その力で竪框の長孔部分が破損して係止部が長孔から抜け出し、格子ユニットがドア本体から外れる。このことは、ドア本体の竪框がアルミ製の場合に著しい。
【０００５】
前述のように、従来の通風ドアにおいては、バール等の工具を用いて比較的容易に格子ユニットを取り外しできるので、防犯上好ましくない。
【０００６】
本発明は、前述のことに鑑みなされたものであって、その目的は、格子ユニットを故意に簡単に取り外しできないようにした通風ドアを提供することである。
【課題を解決するための手段】
【０００７】
第１の発明は、ドア本体に開閉窓を取付けた通風ドア本体と、この通風ドア本体の室外側部に金具で取付けた格子ユニットを有する通風ドアであって、
前記金具は、ドア側金具と格子側金具を備え、そのドア側金具、格子側金具の取付部が通風ドア本体、格子ユニットに、取付用裏板又は金具自身に螺合したビスでそれぞれ固着して取付けられ、
前記ドア側金具の連結部の室内側面と格子側金具の連結部の室外側面が面接触して室内外方向に離れないように連結し、
前記ドア側金具と格子側金具は、その両者を相対的に上下方向に移動することで連結部相互が面接触する形状で、
この連結部相互の面接触した部分の上下寸法は、通風ドアをドア枠に取付けて閉じた状態における格子ユニットの上部とドア枠の上部との間の隙間よりも大きいことを特徴とする通風ドアである。
【０００８】
第２の発明は、ドア本体に開閉窓を取付けた通風ドア本体と、この通風ドア本体の室外側部に金具で取付けた格子ユニットを有する通風ドアであって、
前記金具は、通風ドア本体の上横部と格子ユニットの上横部に亘って取付けた上の金具と、通気ドア本体の下横部と格子ユニットの下横部に亘って取付けた下の金具と、通気ドア本体の縦部と格子ユニットの縦部に亘って取付けた縦の金具を備え、
この上の金具、下の金具、縦の金具は、ドア側金具と格子側金具を備え、そのドア側金具の取付部が通風ドア本体の上横部、下横部、縦部に、格子側金具の取付部が格子ユニットの上横部、下横部、縦部に、取付用裏板又は金具自身に螺合したビスでそれぞれ固着して取付けられ、
前記各ドア側金具の連結部の室内側面と各格子側金具の連結部の室外側面が、相対的に上下方向に移動することで面接触して室内外方向に離れないように連結される形状で、
前記通風ドア本体の上横部に、格子側金具がドア側金具に対して上方に移動することを阻止する押え金具を取付けたことを特徴とする通風ドアである。
【０００９】
第３の発明は、第１又は第２の発明において通風ドア本体の上下寸法と格子ユニットの上下寸法がほぼ同一で、その両者の室内外方向の境目部分がドア枠内に位置している通風ドアである。
【発明の効果】
【００１０】
請求項１に係る発明によれば、ドア側金具、格子側金具の取付部は、取付用裏板又は金具自身に螺合したビスで通風ドア本体、格子ユニットにそれぞれ固着して取付けてあるので、その通風ドア本体、格子ユニットがアルミ製であってもドア側金具、格子側金具を強固に取付けできる。
しかも、ドア側金具の連結部の室内側面と格子側金具の連結部の室外側面が面接触しているので、室内外方向の強い力が作用しても室内外方向に離れることがない。
よって、バール等の工具を用いてこじることで格子ユニットを故意に取り外ししようとしても、その格子ユニットが通風ドア本体から簡単に取り外しできない。
【００１１】
また、通風ドア本体と格子ユニットを面内方向に沿って相対的に上下に移動することで、ドア側金具の連結部と格子側金具の連結部が面接触するので、通風ドア本体に格子ユニットを簡単に取付けできる。
【００１２】
しかも、通風ドアをドア枠に取付けて閉じ状態とすると、格子ユニットを通風ドア本体に対して上方に移動して連結部相互を離脱することができないから格子ユニットを取り外しできない。
【００１３】
請求項２に係る発明によれば、請求項１に係る発明と同様に、バール等の工具を用いてこじることで格子ユニットを故意に取り外ししようとしても、その格子ユニットが通風ドア本体から簡単に取り外しできない。
また、請求項１に係る発明と同様に通風ドア本体に格子ユニットを簡単に取付けできる。
しかも、上の金具の格子側金具がドア側金具に対して上方に移動することを押え金具で防止するので、格子ユニットを通風ドア本体に取付けした後には、その格子ユニットを通風ドア本体に対して上方に移動できないので、格子ユニットを取り外しできない。
【００１４】
請求項３に係る発明によれば、格子ユニットと通風ドア本体の室内外方向の境目部分がドア枠内に位置し、その境目部分にバール等の工具を入れてこじることがやりづらい。
【発明を実施するための最良の形態】
【００１５】
図１に示すように、ドア本体１と、このドア本体１に取付けた開閉窓、例えば上げ下げ窓２で通風ドア本体３とし、この通風ドア本体３の室外側部に格子ユニット４を取付けて通風ドアを構成している。
前記上げ下げ窓２を開放することで換気できる。
前記格子ユニット４は、上げ下げ窓２の室外側部を覆い、室外から故意に上げ下げ窓２を開放して室内に侵入することを防止する。つまり、格子ユニット４は防犯のために取付けてある。
【００１６】
前記格子ユニット４は通風ドア本体３の室外側部に金具で取付けてある。
この金具は、通風ドア本体３の室外側部に取付けたドア側金具と、格子ユニット４に取付けた格子側金具を備え、このドア側金具と格子側金具は、取付部と連結部を有し、ドア側金具の連結部の室内側面に格子側金具の連結部の室外側面を面接触して室内外方向に離れないように連結する。
【００１７】
前記格子側金具とドア側金具は、その両者を相対的に上下方向、好ましくは面内方向に沿って上下方向に移動することで連結部相互が面接触する形状である。
前述の面接触した部分の上下寸法は、この通風ドアをドア枠に取付けて閉じた状態における格子ユニット４の上部とドア枠の上部（上枠）との間の隙間よりも大きい。
このようにすることで、通風ドアを閉じた状態とすれば格子ユニット４を面内方向に沿って上下に移動しても連結部相互が外れないから、格子側金具をドア側金具から外すことができないので、格子ユニット４を取り外しできない。
【００１８】
例えば、格子ユニット４の上横部４ａ、下横部４ｂ、左右の縦部４ｃが通風ドア本体３の上横部３ａ、下横部３ｂ、左右の縦部３ｃに、上の金具１０、下の金具２０、縦の金具３０でそれぞれ取付けてある。
前記各金具１０，２０，３０は、図２、図３に示すようにドア側金具１１，２１，３１と格子側金具１２，２２，３２を備え、その上下の金具１０，２０のドア側金具１１，２１の取付部を通風ドア本体３の上横部３ａ、下横部３ｂに、取付用裏板１３，２３に螺合したビス１４，２４で、それぞれ固着し、縦の金具３０のドア側金具３１の取付部を縦部３ｃに、その縦部３ｃを貫通しドア側金具３１自身に螺合したビス３４で固着する。
前記格子側金具１２，２２，３２の取付部を格子ユニット４の上横部４ａ、下横部４ｂ、縦部４ｃに、取付用裏板１５，２５，３５に螺合したビス１６，２６，３６でそれぞれ固着する。
そして、ドア側金具１１，２１，３１の連結部の室内側面と格子側金具１２，２２，３２の連結部の室外側面を面接触して室内外方向に離れないように連結し、室内外方向の力が作用してもドア側金具１１，２１，３１と格子側金具１２，２２，３２が室内外方向に離れないようにしてある。
【００１９】
このようであるから、バール等の工具を用いてこじることで、格子ユニット４に通風ドア本体３から離れる方向の力を付与しても、ドア側金具１１，２１，３１が通風ドア本体３から外れたり、格子側金具１２，２２，３２が格子ユニット４から外れることがない。しかも、格子側金具１２，２２，３２がドア側金具１１，２１，３１から外れることもない。
よって、格子ユニット４を故意に簡単に取り外しできない。
【００２０】
なお、各金具の取付部を取付用裏板に螺合したビスで取付けても良いし、各金具の取付部を、金具自身に螺合したビスで取付けても良い。つまり、各金具の取付部を、取付用裏板に螺合したビス又は金具自身に螺合したビスで取付ければ良い。
【００２１】
この実施の形態では、ドア側金具１１，２１，３１に対して格子側金具１２，２２，３２を上から下に向けて面内方向に沿って移動することで、連結部相互が面接触して連結できるようにしてある。
よって、格子ユニット４の取付けが簡単である。
【００２２】
また、ドア側金具１１，２１，３１と格子側金具１２，２２，３２の面接触した部分の上下寸法は、図２に示すように通風ドアを閉じた状態における窓枠５の上部（上枠５ａ）と格子ユニット４の上部との間の隙間Ｓ１よりも大きい。
これにより、閉じ状態において格子ユニット４を前述の面接触した部分の上下寸法以上上方に移動できないから、格子ユニット４を取り外しできない。
【００２３】
なお、前述の隙間Ｓ１が面接触した部分の上下寸法よりも大きければ、閉じ状態において格子ユニット４を上方に向けて移動すれば面接触が外れ、格子ユニット４を取り外しできるので、この場合には押え金具を取付けて格子ユニット４が上方に移動しないようにする。
例えば、通風ドア本体３の上横部３ａに押え金具４０を取付け、この押え金具４０で上の金具１０の格子側金具１２が上方に動かないようにする。
この押え金具４０は、前述の取付用裏板１３に螺合したビス４１で固着することが好ましい。なお、前述の取付用裏板１３とは別の取付用裏板を用いても良い。
【００２４】
この実施の形態では、通風ドア本体３の上下寸法と格子ユニット４の上下寸法はほぼ同一で、その両者の室内外方向の境目部分がドア枠５内に位置している。
これによって、通風ドア本体３と格子ユニット４の上部における室内外方向の境目部分、下部における室内外方向の境目部分にバール等の工具を押し込んでこじる際に、ドア枠５（上枠５ａ、下枠５ｂ）が邪魔になり、こじりづらくなる。
【００２５】
次に、各部材の具体形状を説明する。
前記ドア本体１は上横部１ａと下横部１ｂと左右の縦部１ｃで開口部１ｄを有する形状、例えば、上框５０と下框５１と左右の縦框５２を方形枠状に連結した形状で、その上框５０、下框５１、縦框５２が上横部１ａ、下横部１ｂ、側部１ｃにそれぞれ相当する。なお、ドア本体１は一枚板形状で開口部を有する形状でも良いし、フラッシュドアのように芯材と表裏面材を有すると共に、開口部を有する形状などでも良い。
【００２６】
前記上げ下げ窓２は、窓枠２ａに内・外障子２ｂ、２ｃを上下動自在に装着したもので、その窓枠２ａがドア本体１の開口部１ｄ内に取付けてある。図２、図３には内・外障子２ｂ、２ｃが図示を省略してある。
この窓枠２ａは上枠５３と下枠５４と左右の縦枠５５を方形状に連結したもので、その上枠５３と前記上框５０で前述の通風ドア本体３の上横部３ａを形成し、下枠５４と下框５１で下横部３ｂを形成し、縦枠５５と縦框５２で縦部３ｃを形成している。
【００２７】
前記格子ユニット４は、格子枠６０に穴明き板６１と網戸枠６２を取付け、その網戸枠６２に防虫網６３を張設してある。なお、図１には格子枠６０のみが図示してある。
前記格子枠６０は格子枠材６４を方形状に連結したもので、その上の格子枠材６４が前述の上横部４ａ、下の格子枠材６４が下横部４ｂ、縦の格子枠材６４が縦部４ｃである。
【００２８】
前記格子枠材６４は、面内方向に向かう第１表面板６４ａと面外方向に向かう第２表面板６４ｂでほぼ鉤形状の表面板と、第２表面板６４ｂに一体的に設けた内向片６４ｃと、この内向片６４ｃと第１表面板６４ａに亘って一体的に設けた連結片６４ｄによって、中空部６４ｅと内向凹部６４ｆを有する断面形状で、その内向凹部６４ｆが四周連続して前述の穴明き板６１と網戸枠６２が取付けてある。
【００２９】
この格子ユニット４は前述のものに限ることはなく、格子枠６０に格子を取付けたものでも良い。
つまり、格子ユニット４は空気が流通するが、人が通ることができないものであれば良い。
【００３０】
前記上の金具１０のドア側金具１１は取付部と連結部を有する。例えば図４に示すように、一側縦片１１ａと他側縦片１１ｂと横片１１ｃで断面上向きコ字形状の長尺材で、その他側縦片１１ｂの長手方向中間部に切欠凹部１７が形成してある。この一側縦片１１ａが取付部で、他側縦片１１ｂが連結部である。
このドア側金具１１は、図２に示すように、その一側縦片１１ａが上框５０の室外側面に接し、この上框５０の中空部に取付用裏板１３を設け、前記一側縦片１１ａからこの取付用裏板１３にビス１４を螺合して上向きコ字形状として取付ける。
このドア側金具１１は上框５０よりも上方に突出しない。
【００３１】
前記上の金具１０の格子側金具１２は取付部と連結部を有する。例えば図４に示すように、一側縦片１２ａと他側縦片１２ｂと横片１２ｃで断面下向きコ字形状の長尺材で、その一側縦片１２ａと横片１２ｃのコーナー部における長手方向中間部に開口部１８が形成してある。この一側縦片１２ａが連結部で、他側縦片１２ｂが取付部である。
この格子側金具１２は、図２に示すように、その他側縦片１２ｂが格子枠材６４の内向片６４ｃに接し、ビス１６を取付用裏板１５に螺合して下向きコ字形状に取付ける。
つまり、この格子側金具１２は格子枠材６４の室内側内面に取付けられて、表面板よりも上方に突出しない。
【００３２】
そして、ドア側金具１１の他側縦片１１ｂの室内側面と格子側金具１２の一側縦片１２ａの室外側面が面接触し、かつ横片１２ｃが他側縦片１１ｂの上端面に接して連結される。
このようであるから、上の金具１０のドア側金具１１、格子側金具１２は格子枠材６４で覆われて室外側から見えない。
【００３３】
前記押え金具４０は図４に示すように、横片４２と下向片４３で鉤形状で、その横片４２が上框５０の上端面にビス４１で固着して取付けられる。
この押え金具４０の下向片４３は長尺な基片４３ａと短尺な先片４３ｂでＴ字形状で、上の格子枠材６４の第２表面板６４ｂに形成した挿通部４４を通り、その先片４３ｂが格子側金具１２の開口部１８を通ってドア側金具１１の切欠凹部１７に嵌まり合い、基片４３ａが格子側金具１２の横片１２ｃに押しつけられる。
これによって、格子側金具１２がドア側金具１１に対して上方に移動することを押え金具４０で防止する。
また、ドア側金具１１と格子側金具１２は、押え金具４０の先片４３ｂが格子側金具１２の開口部１８からドア側金具１１の切欠凹部１７に嵌まり合うようにしているので、面内方向に相対的に動くことがないように連結される。
【００３４】
前記下の金具２０のドア側金具２１は取付部と連結部を有する。例えば、図５に示すように横片２１ａと縦片２１ｂで鉤形状の長尺材で、その縦片２１ｂの先端縁（上端縁）に突片２１ｃが一体的に設けてある。好ましくは複数設けてある。横片２１ａが取付部で、縦片２１ｂが連結部である。
このドア側金具２１は、その横片２１ａが下框５１の下端面に接し、その下框５１の中空部に挿入した取付用裏板２３にビス２４を螺合して取付けられ、縦片２１ｂが上向きとなる。
この縦片２１は下の格子枠材６４の第２表面板６４ｂの挿通部４５から上方に突出する。
【００３５】
前記下の金具２０の格子側金具２２は取付部と連結部を有する。例えば図５に示すように、一側縦片２２ａと横片２２ｂと他側縦片２２ｃでクランク形状の長尺材で、その一側縦片２２ａと横片２２ｂのコーナー部に開口部２７が形成してある。他側縦片２２ｃが取付部で、一側縦片２２ａが連結部である。
この格子側金具２２は、図２に示すように、その他側縦片２２ｃを下の格子枠材６４の内向片６４ｃに接し、取付用裏板２５にビス２６を螺合して取付け、その一側縦片２２ａが下向きで、下の格子枠材６４の第２表面板６４ｂよりも下方に突出しないようになる。
【００３６】
この格子側金具２２の一側縦片２２ａの室外側面がドア側金具２１の縦片２１ｂの室内側面に面接触し、かつその縦片２１ｂの突片２１ｃが格子側金具２２の開口部２７に挿入してドア側金具２１と格子側金具２２が面内方向左右に動かないようにすると共に、横片２２ｂが縦片２１ｂの上端面に接して格子側金具２２をドア側金具２１で支持する。
【００３７】
前記縦の金具３０のドア側金具３１は取付部と連結部を有する。例えば図６に示すように、一側縦片３１ａと他側縦片３１ｂで鉤形状の長尺材で、その他側縦片３１ｂに上向きのフック３１ｃが設けてある。その一側縦片３１ａが取付部で、他側縦片３１ｂが連結部である。
このドア側金具３１は、その一側縦片３１ａが縦枠５５に接し、その縦枠５５を貫通したビス３４を、一側縦片３１ａに螺合して固着して取付け、このドア側金具３１は、その他側縦片３１ｂが縦枠５５よりも室外側において面内方向に向けて位置する。
【００３８】
前記縦の金具３０の格子側金具３２は取付部と連結部を有する。例えば図６に示すように、一側縦片３２ａと他側縦片３２ｂを連結縦片３２ｃで一体的に連結したクランク形状の長尺材である。この他側縦片３２ｂが取付部で、一側縦片３２ａが連結部である。
この格子側金具３２は、その他側縦片３２ｂを縦の格子枠材６４の内向片６４ｃに接し、取付用裏板３５にビス３６を螺合して取付けられ、その一側縦片３２ａが内向片６４ｃと平行に面内方向に向かうと共に、縦の格子枠材６４の表面板よりも突出しないようにしてある。
この実施の形態では、その取付用裏板１５，２５，３５が穴明き板６１、網戸枠６２を取付ける裏板と兼用であるが、別であっても良い。
【００３９】
そして、格子側金具３２の一側縦片３２ａの室外側面がドア側金具３１の他側縦片３１ｂの室内側面に面接触して連結され、格子側金具３２の連結縦片３２ｃがドア側金具３１の上向きフック３１ｃに接して面内方向に動かないようにし、かつ格子側金具３２をドア側金具３１で支持する。
なお、格子側金具３２の一側縦片３２ａの両端部分は斜めとなって、上から下方に移動することでドア側金具３１の他側縦片３１ｂに面接触し易くなるようにしてある。
【００４０】
このようであるから、通風ドア本体３に各ドア側金具１１，２１，３１の取付部をそれぞれ取付け、格子ユニット４に各格子側金具１２，２２，３２の取付部をそれぞれ取付ける。
この状態で、格子ユニット４を通風ドア本体３に対して上から下に向けて面内方向に沿って所定量移動することで、各格子側金具１２，２２，３２の連結部の室内側面に、ドア側金具１１，２１，３１の連結部の室外側面を面接触して連結する。
この後に、押え金具４０を取付けて格子ユニット４が上方に移動しないようにして格子ユニット４を取付ける。
【００４１】
前述のようにして通風ドアを組み立てした後に、その通風ドアを図２に示すようにドア枠５内に取付ける。
この通風ドアの閉じ状態において、上枠５ａと格子ユニット４との間の上下方向の隙間Ｓ１は、前述のドア側金具１１，２１，３１の連結部と格子側金具１２，２２，３２の連結部の上下方向の重なり量（面接触寸法）よりも小さい。
よって、押え金具４０を無理に取り外して格子ユニット４を上方に移動できるようにし、その格子ユニット４を上方に移動しても格子側金具１２，２２，３２をドア側金具１１，２１，３１から離脱できないので、格子ユニット４を取り外しできない。
【００４２】
また、図２、図３に示すように、上の金具１０、縦の金具３０が格子ユニット４内に収納されて室外から見えないし、下の金具２０は、そのドア側金具２１の一部分が見えるだけであり、押え金具４０も、その一部分が見えるだけである。
よって、外観の見栄えが良い。
【００４３】
前述の実施の形態において、上框５０、下框５１、縦框５２、格子枠材６４はアルミ押出形材で、各金具１０，２０，３０はスチール製である。
【００４４】
前述の実施の形態では、図１に示すように上の金具１０、下の金具２０、縦の金具３０をそれぞれ複数備え、それらが長手方向に間隔を置いて取付けてあるが、これに限ることはなく、長尺一体の金具としても良いし、短尺の金具を１つだけ取付けるようにしても良い。
【図面の簡単な説明】
【００４５】
【図１】通風ドアの概略全体正面図である。
【図２】通風ドアの縦断面図である。
【図３】通風ドアの横断面図である。
【図４】上の金具の斜視図である。
【図５】下の金具の斜視図である。
【図６】縦の金具の斜視図である。
【符号の説明】
【００４６】
１…ドア本体、２…上げ下げ窓（開閉窓）、３…通風ドア本体、３ａ…上横部、３ｂ…下横部、３ｃ…縦部、４…格子ユニット、４ａ…上横部、４ｂ…下横部、４ｃ…縦部、５…ドア枠、５ａ…上枠、５ｂ…下枠、１０…上の金具、１１…ドア側金具、１１ａ…一側縦片（取付部）、１１ｂ…他側縦片（連結部）、１２…格子側金具、１２ａ…一側縦片（連結部）、１２ｂ…他側縦片（取付部）、１３…取付用裏板、１４…ビス、１５…取付用裏板、１６…ビス、２０…下の金具、２１…ドア側金具、２１ａ…横片（取付部）、２１ｂ…縦片（連結部）、２２…格子側金具、２２ａ…一側縦片（連結部）、２２ｃ…他側縦片（取付部）、２３…取付用裏板、２４…ビス、２５…取付用裏板、２６…ビス、３０…縦の金具、３１…ドア側金具、３１ａ…一側縦片（取付部）、３１ｂ…他側縦片（連結部）、３２…格子側金具、３２ａ…一側縦片（連結部）、３２ｂ…他側縦片（取付部）、３４…ビス、３５…取付用裏板、３６…ビス、４０…押え金具。
【図１】
2005097903.tif 000003
【図２】
2005097903.tif 000004
【図３】
2005097903.tif 000005
【図４】
2005097903.tif 000006
【図５】
2005097903.tif 000007
【図６】
2005097903.tif 000008